(57)【要約】【課題】      入賞率を調整できる入賞部材を装飾部材に備えた遊技機を提供する。【解決手段】  サイドランプ１０は、ベース部材２１と、遊技領域を流下する遊技球が入賞可能な入賞部材２３とを備え、該入賞部材２３は、入賞領域３４を区画する入賞領域区画壁部４１と、入賞開口４２と、遊技球案内部４７とを備え、入賞領域区画壁部４１は、右側区画部５０と上側区画部５３とを含んで構成され、上側区画部５３の上端を右側区画部５０の上端よりも高く設定するとともに、右側区画部５０の上端と右側区画部５０の上端との間を遊技球の直径よりも数倍広く設定して入賞導入部５５とし、遊技領域７のうち入賞導入部５５の上方近傍に、入賞部材２３への遊技球の流入を規制する規制釘８６を入賞導入部に対応して植設し、規制釘の植設本数あるいは植設間隔を所定幅に設定することにより、入賞導入部のうち遊技球が通過可能な範囲を規制できるようにした。【選択図】    図２
2005080804.tif 000002
【特許請求の範囲】
【請求項１】
遊技盤の表面に遊技領域を遊技領域区画部材により区画形成し、該遊技領域の左右両側に遊技に関する装飾を行う装飾部材を配設した遊技機において、
前記装飾部材は、
前記遊技盤の表面に取り付けるベース部材と、該ベース部材の前面側に設けられ、前記遊技領域を流下する遊技球が入賞可能な入賞部材と、を備え、
該入賞部材は、
入賞する遊技球が流下する入賞領域を有し、該入賞領域を区画する入賞領域区画壁部と、前記入賞領域の下端部に開設された入賞開口と、該入賞開口の両側上方に配置され、遊技球を案内し得る遊技球案内部とを備え、
前記入賞領域区画壁部は、
前記入賞開口の一側から遊技領域中央寄りで上方に延設した第１区画部と、前記入賞開口の他側から前記第１区画部の反対側で上方に延設した第２区画部とを含んで構成され、
前記第２区画部の上端を前記第１区画部の上端よりも高く設定するとともに、前記第１区画部の上端と前記第２区画部の上端との間を遊技球の直径よりも数倍広く設定して前記入賞部材への遊技球を導入するための入賞導入部とし、
前記遊技領域のうち入賞導入部の上方近傍に、前記入賞部材への遊技球の流入を規制する規制釘を前記入賞導入部に対応して植設し、
前記規制釘の植設本数あるいは植設間隔を所定幅に設定することにより、前記入賞導入部のうち遊技球が通過可能な範囲を規制できるようにしたことを特徴とする遊技機。
【請求項２】
前記遊技球案内部は、
前記入賞開口の周囲から前方へ向かって延設され、上方を開放した開口ガイド部と、遊技領域の中央寄りから前記入賞開口へ向かって下り傾斜する第１球流下案内面と、前記入賞開口に対して前記第１球流下案内面とは反対側から前記入賞開口へ向かって下り傾斜する第２球流下案内面とを備え、
前記開口ガイド部のうち前記第１球流下案内面側の開放端と、前記第１球流下案内面の下端とを接続し、
前記開口ガイド部のうち前記第２球流下案内面側の開放端と、前記第２球流下案内面の下端とを接続し、
前記開口ガイド部の前端部に蓋部材を設け、該蓋部材と前記開口ガイド部とにより、前記入賞領域に導入された遊技球を受け入れる入賞ポケットを構成したことを特徴とする請求項１に記載の遊技機。
【請求項３】
前記第１球流下案内面と前記第２球流下案内面とは、前記入賞開口に対して左右非対称の形状で形成されることを特徴とする請求項２に記載の遊技機。
【請求項４】
前記第１球流下案内面は、
当該第１球流下案内面の上側に位置する第１傾斜面と、当該第１球流下案内面の下側であって、前記第１傾斜面の下端から下方に位置する第２傾斜面とにより構成され、
前記第２傾斜面を前記第１傾斜面よりも大きい角度で下り傾斜させ、
前記第２球流下案内面は、
当該第２球流下案内面の下端を前記第１傾斜面の下端よりも低く、且つ前記第２傾斜面の下端よりも高く配置したことを特徴とする請求項３に記載の遊技機。
【請求項５】
前記入賞部材は、
前記第２球流下案内面の前側端を前記遊技領域区画部材へ向かって延設して区画部材支持部とし、該区画部材支持部の先端を前記遊技領域区画部材に近接あるいは当接させたことを特徴とする請求項２から請求項４のいずれかに記載の遊技機。
【請求項６】
前記入賞部材は、
前記入賞領域区画壁部の第２区画部を前記遊技領域区画部材から遊技球が流下可能な間隔を空けて配置して、前記遊技領域区画部材との間に球流路を形成し、
前記入賞領域区画壁部の下方に、前記球流路を流下した遊技球を前記遊技領域の中央側へ誘導する球誘導部材を設けたことを特徴とする請求項１から請求項５のいずれかに記載の遊技機。
【請求項７】
前記入賞部材は、
前記入賞領域区画壁部の第２区画部を前記遊技領域区画部材から遊技球が流下可能な間隔を空けて配置して、前記遊技領域区画部材との間に球流路を形成し、
前記入賞領域区画壁部の下方に、前記球流路を流下した遊技球を遊技領域の中央側へ誘導する球誘導部材を設け、
前記第２球流下案内面の前側端を前記遊技領域区画部材へ向かって延設して区画部材支持部とし、該区画部材支持部の先端を前記遊技領域区画部材に近接あるいは当接させ、
前記区画部材支持部は、
上下方向に所定幅を有し、前記球流路の一部の前方を覆う状態で配設されていることを特徴とする請求項２から請求項４のいずれかに記載の遊技機。
【発明の詳細な説明】
【技術分野】
【０００１】
本発明は、遊技領域内に装飾部材を備えたパチンコ遊技機や雀球遊技機などの遊技機に関する。
【背景技術】
【０００２】
従来の遊技機、例えばパチンコ遊技機においては、遊技盤上に区画形成された遊技領域の略中央にセンターケースを、左右両側にサイドランプ（装飾部材）をそれぞれ設け、センターケース内には液晶表示装置などの可変表示装置を配置し、遊技球が始動口に入賞することを条件にして可変表示装置に数字等の識別表示を高速可変表示する可変表示遊技を行えるようにした遊技機がある。このパチンコ遊技機は、可変表示遊技等の状態に合わせてサイドランプを点灯あるいは点滅させて、遊技の興趣を高めている。
【０００３】
そして、上記パチンコ遊技機の中には、サイドランプに遊技球が入賞可能な入賞部材を一体成形し、遊技球が入賞するチャンスを増やして遊技の興趣を更に高めたものが提案されている（例えば、特許文献１参照）。
【特許文献１】特開２００３−８８６１６号公報（第４頁，第１図）
【０００４】
この入賞部材を備えたサイドランプは、入賞部材を備えないサイドランプに比べて形状が複雑になりがちであるので、製造工程の所要時間や製造コスト（例えば金型のコスト）が掛かってしまう。そのため、パチンコ遊技機の各メーカーは、既存の遊技盤に取り付けられていた入賞部材付きのサイドランプを新規の遊技盤に転用するようにして、遊技盤の製造効率や製造コストの改善を試みている。
【発明の開示】
【発明が解決しようとする課題】
【０００５】
ところで、上記パチンコ遊技機は、可変表示遊技において停止した時の表示態様が７，７，７などの賞態様を成立させるか否かが注目されるので、近年、可変表示装置が大型化する傾向にあり、この大型化に伴ってセンターケースも大型化する。
【０００６】
この大型化したセンターケースを遊技領域内に配置すると、その周辺にサイドランプを配置するスペースが狭くなり、サイドランプに備えられた入賞部材も配置可能な範囲が限定されてしまう。すなわち、入賞部材は、遊技球の流下し易い場所に配置されたり、あるいは、遊技球が流下しない場所に配置されたりする場合がある。このことから、サイドランプの入賞部材は、転用先の遊技盤のどの位置に配置可能であるかによって、入賞率を大きく異ならせてしまう虞があった。
【０００７】
本発明は、上記の事情に鑑みてなされたものであり、その目的は、入賞率の調整の自由度が大きい入賞部材を装飾部材に備えた遊技機を提供しようとするものである。
【課題を解決するための手段】
【０００８】
本発明は、上記目的を達成するために提案されたものであり、請求項１に記載のものは、遊技盤の表面に遊技領域を遊技領域区画部材により区画形成し、該遊技領域の左右両側に遊技に関する装飾を行う装飾部材を配設した遊技機において、
前記装飾部材は、
前記遊技盤の表面に取り付けるベース部材と、該ベース部材の前面側に設けられ、前記遊技領域を流下する遊技球が入賞可能な入賞部材と、を備え、
該入賞部材は、
入賞する遊技球が流下する入賞領域を有し、該入賞領域を区画する入賞領域区画壁部と、前記入賞領域の下端部に開設された入賞開口と、該入賞開口の両側上方に配置され、遊技球を案内し得る遊技球案内部とを備え、
前記入賞領域区画壁部は、
前記入賞開口の一側から遊技領域中央寄りで上方に延設した第１区画部と、前記入賞開口の他側から前記第１区画部の反対側で上方に延設した第２区画部とを含んで構成され、
前記第２区画部の上端を前記第１区画部の上端よりも高く設定するとともに、前記第１区画部の上端と前記第２区画部の上端との間を遊技球の直径よりも数倍広く設定して前記入賞部材への遊技球を導入するための入賞導入部とし、
前記遊技領域のうち入賞導入部の上方近傍に、前記入賞部材への遊技球の流入を規制する規制釘を前記入賞導入部に対応して植設し、
前記規制釘の植設本数あるいは植設間隔を所定幅に設定することにより、前記入賞導入部のうち遊技球が通過可能な範囲を規制できるようにしたことを特徴とする遊技機である。
【０００９】
請求項２に記載のものは、前記遊技球案内部は、
前記入賞開口の周囲から前方へ向かって延設され、上方を開放した開口ガイド部と、遊技領域の中央寄りから前記入賞開口へ向かって下り傾斜する第１球流下案内面と、前記入賞開口に対して前記第１球流下案内面とは反対側から前記入賞開口へ向かって下り傾斜する第２球流下案内面とを備え、
前記開口ガイド部のうち前記第１球流下案内面側の開放端と、前記第１球流下案内面の下端とを接続し、
前記開口ガイド部のうち前記第２球流下案内面側の開放端と、前記第２球流下案内面の下端とを接続し、
前記開口ガイド部の前端部に蓋部材を設け、該蓋部材と前記開口ガイド部とにより、前記入賞領域に導入された遊技球を受け入れる入賞ポケットを構成したことを特徴とする請求項１に記載の遊技機である。
【００１０】
請求項３に記載のものは、前記第１球流下案内面と前記第２球流下案内面とは、前記入賞開口に対して左右非対称の形状で形成されることを特徴とする請求項２に記載の遊技機である。
【００１１】
請求項４に記載のものは、前記第１球流下案内面は、
当該第１球流下案内面の上側に位置する第１傾斜面と、当該第１球流下案内面の下側であって、前記第１傾斜面の下端から下方に位置する第２傾斜面とにより構成され、
前記第２傾斜面を前記第１傾斜面よりも大きい角度で下り傾斜させ、
前記第２球流下案内面は、
当該第２球流下案内面の下端を前記第１傾斜面の下端よりも低く、且つ前記第２傾斜面の下端よりも高く配置したことを特徴とする請求項３に記載の遊技機である。
【００１２】
請求項５に記載のものは、前記入賞部材は、
前記第２球流下案内面の前側端を前記遊技領域区画部材へ向かって延設して区画部材支持部とし、該区画部材支持部の先端を前記遊技領域区画部材に近接あるいは当接させたことを特徴とする請求項２から請求項４のいずれかに記載の遊技機である。
【００１３】
請求項６に記載のものは、前記入賞部材は、
前記入賞領域区画壁部の第２区画部を前記遊技領域区画部材から遊技球が流下可能な間隔を空けて配置して、前記遊技領域区画部材との間に球流路を形成し、
前記入賞領域区画壁部の下方に、前記球流路を流下した遊技球を前記遊技領域の中央側へ誘導する球誘導部材を設けたことを特徴とする請求項１から請求項５のいずれかに記載の遊技機である。
【００１４】
請求項７に記載のものは、前記入賞部材は、
前記入賞領域区画壁部の第２区画部を前記遊技領域区画部材から遊技球が流下可能な間隔を空けて配置して、前記遊技領域区画部材との間に球流路を形成し、
前記入賞領域区画壁部の下方に、前記球流路を流下した遊技球を遊技領域の中央側へ誘導する球誘導部材を設け、
前記第２球流下案内面の前側端を前記遊技領域区画部材へ向かって延設して区画部材支持部とし、該区画部材支持部の先端を前記遊技領域区画部材に近接あるいは当接させ、
前記区画部材支持部は、
上下方向に所定幅を有し、前記球流路の一部の前方を覆う状態で配設されていることを特徴とする請求項２から請求項４のいずれかに記載の遊技機である。
【発明の効果】
【００１５】
本発明によれば、以下のような優れた効果を奏する。
請求項１に記載の発明によれば、前記装飾部材は、前記遊技盤の表面に取り付けるベース部材と、該ベース部材の前面側に設けられ、前記遊技領域を流下する遊技球が入賞可能な入賞部材とを備え、該入賞部材は、入賞する遊技球が流下する入賞領域を有し、該入賞領域を区画する入賞領域区画壁部と、前記入賞領域の下端部に開設された入賞開口と、該入賞開口の両側上方に配置され、遊技球を案内し得る遊技球案内部とを備え、前記入賞領域区画壁部は、前記入賞開口の一側から遊技領域中央寄りで上方に延設した第１区画部と、前記入賞開口の他側から前記第１区画部の反対側で上方に延設した第２区画部とを含んで構成され、前記第２区画部の上端を前記第１区画部の上端よりも高く設定するとともに、前記第１区画部の上端と前記第２区画部の上端との間を遊技球の直径よりも数倍広く設定して前記入賞部材への遊技球を導入するための入賞導入部とし、前記遊技領域のうち入賞導入部の上方近傍に、前記入賞部材への遊技球の流入を規制する規制釘を前記入賞導入部に対応して植設し、前記規制釘の植設本数あるいは植設間隔を所定幅に設定することにより、前記入賞導入部のうち遊技球が通過可能な範囲を規制できるようにしたので、装飾部材に遊技球の入賞率を調整可能な入賞部材を備えることができる。したがって、装飾部材を他の遊技機の遊技盤に取り付けても、入賞部材の入賞率が大きく異ならないように調整することができ、装飾部材を異なる機種であっても容易に転用することができる。
【００１６】
請求項２に記載の発明によれば、前記遊技球案内部は、前記入賞開口の周囲から前方へ向かって延設され、上方を開放した開口ガイド部と、遊技領域の中央寄りから前記入賞開口へ向かって下り傾斜する第１球流下案内面と、前記入賞開口に対して前記第１球流下案内面とは反対側から前記入賞開口へ向かって下り傾斜する第２球流下案内面とを備え、前記開口ガイド部のうち前記第１球流下案内面側の開放端と、前記第１球流下案内面の下端とを接続し、前記開口ガイド部のうち前記第２球流下案内面側の開放端と、前記第２球流下案内面の下端とを接続し、前記開口ガイド部の前端部に蓋部材を設け、該蓋部材と前記開口ガイド部とにより、前記入賞領域に導入された遊技球を受け入れる入賞ポケットを構成したので、入賞領域に達した遊技球をスムーズに入賞開口へ案内することができる。
【００１７】
請求項３に記載の発明によれば、前記第１球流下案内面と前記第２球流下案内面とは、前記入賞開口に対して左右非対称の形状で形成されるので、入賞部材への遊技球の流入が容易となるように設定されて、該入賞部材へ複数の遊技球が流入した場合であっても、球詰まりを起こそうとする遊技球のバランスを崩して、入賞開口の上方で遊技球が詰まることを未然に防止できる。
【００１８】
請求項４に記載の発明によれば、前記第１球流下案内面は、当該第１球流下案内面の上側に位置する第１傾斜面と、当該第１球流下案内面の下側であって、前記第１傾斜面の下端から下方に位置する第２傾斜面とにより構成され、前記第２傾斜面を前記第１傾斜面よりも大きい角度で下り傾斜させ、前記第２球流下案内面は、当該第２球流下案内面の下端を前記第１傾斜面の下端よりも低く、且つ前記第２傾斜面の下端よりも高く配置したので、遊技球が第１球流下案内面から受ける反力の向きを転動途中で変化させることができる。したがって、この変化により球詰まりを起こそうとする遊技球のバランスを崩して、球詰まりを一層防止し易くすることができる。
【００１９】
請求項５に記載の発明によれば、前記入賞部材は、前記第２球流下案内面の前側端を前記遊技領域区画部材へ向かって延設して区画部材支持部とし、該区画部材支持部の先端を前記遊技領域区画部材に近接あるいは当接させたので、遊技領域区画部材の外側から遊技球が衝突しても、遊技領域区画部材が撓んで損傷するのを抑えることができる。
【００２０】
請求項６に記載の発明によれば、前記入賞部材は、前記入賞領域区画壁部の第２区画部を前記遊技領域区画部材から遊技球が流下可能な間隔を空けて配置して、前記遊技領域区画部材との間に球流路を形成し、前記入賞領域区画壁部の下方に、前記球流路を流下した遊技球を遊技領域の中央側へ誘導する球誘導部材を設けたので、装飾部材と遊技領域区画部材との間のスペースに遊技球を流下させて、限られた遊技領域を有効活用することができる。また、遊技球の挙動を複雑にして遊技の興趣を高めることができる。
【００２１】
請求項７に記載の発明によれば、前記区画部材支持部は、上下方向に所定幅を有し、前記球流路の一部の前方を覆う状態で配設されているので、球流路を流下する遊技球を遊技者から一時見えなくすることができ、遊技の興趣を更に高めることができる。
【発明を実施するための最良の形態】
【００２２】
以下、代表的な遊技機であるパチンコ遊技機のうち第１種のパチンコ遊技機を例に挙げて本発明の実施の最良の形態を図面に基づき説明する。図１はパチンコ遊技機の遊技盤１の正面図である。
【００２３】
パチンコ遊技機の遊技盤１は、図１に示すように、表面の左側に金属帯板からなる略横Ｃ字状の第１ガイドレール２を止着し、該第１ガイドレール２の内側に打球通路３となる所定の間隔を空けて円弧状の第２ガイドレール４を止着している。また、遊技盤１の上側には、プラスチック製の横長な上側サイドケース５を備え、該上側サイドケース５の下部に第１ガイドレール２の上端部分に連続する円弧面を形成し、当該遊技盤１の右側にはプラスチック製の縦長な右側サイドケース６を備え、該右側サイドケース６の左側部に上側サイドケース５の円弧面および第２ガイドレール４の下端部分に連続する円弧面を形成している。このようにして遊技盤１は、第１ガイドレール２、第２ガイドレール４、上側サイドケース５の円弧面、および右側サイドケース６の円弧面で略円形の遊技領域７を当該遊技盤１の表面に区画形成している。なお、第１ガイドレール２、第２ガイドレール４、上側サイドケース５、および右側サイドケース６は、本発明における遊技領域区画部材に相当する。
【００２４】
そして、遊技盤１は、遊技領域７の略中央上寄りにセンターケース８を配置し、該センターケース８の開口窓部内に液晶表示装置などの可変表示装置９の表示面を臨ませて設け、該表示面に可変表示や普通図柄表示を行うように構成されている。また、センターケース８の左右両側方には、縦長なサイドランプ１０（本発明における装飾部材に相当）を、センターケース８を中心にして左右対称となる位置に配置して、左側のサイドランプ１０を第２ガイドレール４の上端部の内側近傍に、右側のサイドランプ１０を上側サイドケース５と右側サイドケース６の境界部分の内側近傍にそれぞれ位置させている。そして、センターケース８の下方には、可変表示始動用の始動入賞口１１を、該始動入賞口１１の左右両側方には普通図柄表示始動用の通過ゲート１２をそれぞれ配置している。さらに、遊技領域７の下側（すなわちセンターケース８の下方）には、大入賞口１３を配置し、該大入賞口１３の下方であって遊技領域７の下端にアウト口１４を開設している。
なお、遊技盤１は、普通図柄を表示する普通図柄表示装置を、可変表示装置９とは別個に設けてもよい。
【００２５】
次に、サイドランプ１０について詳細に説明する。なお、上記した２つのサイドランプ１０は、左右対称であって基本的な構造は同じであるので、左側のサイドランプ１０を例に挙げて説明する。
サイドランプ１０は、遊技に関する装飾演出を発光によって行うための部材であり、図２に示すように、遊技盤１の表面に取り付けるベース部材２１と、該ベース部材２１の前面に設けられた複数のレンズ部材２２と、該レンズ部材２２の後方に設けられたＬＥＤ、ランプ等の発光部材（図示せず）と、ベース部材２１の上半部分の前面側に設けられ、遊技領域７の上側を流下する遊技球を入賞可能な入賞部材２３とを備えている。
【００２６】
ベース部材２１は、略Ｐ字状を呈した部材であり、遊技領域７の中心側とは反対側（図中左側）の縁部を第２ガイドレール４の曲率に合わせて（右側のサイドランプ１０については、上側サイドケース５および右側サイドケース６の円弧面に合わせて）円弧状に形成している（図１および図７参照）。
【００２７】
このベース部材２１は、図３に示すように、前面上側に円弧形の上側開口窓２５を上に凸となる状態で、前面中央に円弧形の中央開口窓２６を下に凸となる状態でそれぞれ開設し、前面下側には略水滴形の下側開口窓２７を開設している。そして、発光部材を備えた発光部材基板（図示せず）を裏蓋２９との間に収納して各開口窓２５，２６，２７から発光部材を臨ませ、上側開口窓２５の前方には上レンズ部材２２ａを、中央開口窓２６の前方には中央レンズ部材２２ｂを、下側開口窓２７の前方には下レンズ部材２２ｃをそれぞれ取り付けている。
【００２８】
そして、ベース部材２１は、その前面であって上側開口窓２５の上下両側に半球形の飾り部３１を、上側に１箇所、下側に２箇所膨出している。この飾り部３１は、上レンズ部材２２ａの位置決め突起として機能する。具体的には、最上位の飾り部３１ａと上から２つめの飾り部３１ｂとは、上レンズ部材２２ａの上下両端に形成された半円状の切欠部３２に係合するように構成されている。なお、飾り部３１は、後述の入賞領域３４内に設けられている。
【００２９】
また、後述する入賞部材２３との間であって当該ベース部材２１の上半部分に飾り板３６を取り付けている。この飾り板３６は、上部に係合切欠部３７および係合孔３８を設け、係合切欠部３７を上から２つめの飾り部３１ｂに、係合孔３７を最下位の飾り部３１ｃにそれぞれ係合して、ベース部材２１上に位置決めされている。なお、飾り板３６の下部には、中央開口窓２６に連通する開口部３９が開設されており、該開口部３９および中央開口窓２６を塞ぐ状態で中央レンズ部材２２ｂがベース部材２１に取り付けられている。
【００３０】
次に、入賞部材２３について詳細に説明する。
入賞部材２３は、ベース部材２１の上半部分の前面に略Ｕ字状の入賞領域区画壁部４１を有し、入賞予定の遊技球が流下する入賞領域３４を入賞領域区画壁部４１により区画形成し、入賞領域３４の下端部に入賞開口４２を開設し、該入賞開口４２の左右両側に羽根部材４３，４４を逆ハ字状に固定し、入賞開口４２の前方に略円形の蓋部材４５を設け、各羽根部材４３，４４の一部および蓋部材４５の一部で遊技球案内部４７を入賞開口４２の両側上方に構成している。そして、入賞部材２３は、第２ガイドレール４との間に球流路４８を形成している。なお、球流路４８に関しては後で詳細に説明する。
【００３１】
入賞領域区画壁部４１は、ベース部材２１の前面等に立設した複数の区画部（壁部材）を連結して構成されている。具体的に説明すると、この入賞領域区画壁部４１は、右側羽根部材４３に形成された右側区画部５０（本発明における第１区画部に相当）と、蓋部材４５に形成された下側区画部５１と、左側羽根部材４４に形成された左側区画部５２（本発明における第２区画部の一部に相当）と、入賞開口４２および各羽根部材４３，４４の上方に形成された上側区画部５３（本発明における第２区画部の一部に相当）とにより構成されている（図４参照）。
【００３２】
右側区画部５０は、右側羽根部材４３の下部および遊技領域７の中心側（図中右側）の各縁に沿って設けられた円弧状の壁部材である。この右側区画部５０は、入賞開口４２の一側（図中右側）から遊技領域７の中央寄りで上方に延設され、遊技領域７の中心部向き（図中右下向き）に膨出している。下側区画部５１は、蓋部材４５の下部に設けられた円弧状の壁部材であり、下向きに膨出し、入賞領域３４の下側であって入賞開口４２の下方に配置されている。左側区画部５２は、左側羽根部材４４の下部から上部に亘って設けられた壁部材であり、上下途中を屈曲して略く字状を呈し、入賞領域３４のうち遊技領域７の中心とは反対側（図中左側）に、ベース部材２１の縁よりもサイドランプ１０の左右方向の中央寄りに配置されている。上側区画部５３は、ベース部材２１の左側中央周辺から上側中央周辺に亘って設けられた壁部材である。この上側区画部５３は、入賞開口４２の他側（図中左側）から右側区画部５０とは反対側で上方に延設され、右側区画部５０の膨出方向とは反対向き（図中左上向き）に膨出した円弧状を呈し、入賞領域３４のうち飾り部３１の上方であって遊技領域７の中心側とは反対の上側（図中左上側）に配置されて、右側羽根部材４３の左上方から対向するように構成されている。
なお、上側区画部５３は、中間部分のベース部材２１側端を上レンズ部材２２ａの前面に固定して上レンズ部材２２ａと一体成形されている。したがって、上側区画部５３は、上レンズ部材２２ａを上側開口窓２５へ取り付けることで、ベース部材２１上での位置決めを容易に行うことができる。
【００３３】
そして、入賞領域区画壁部４１は、右側区画部５０の下端と下側区画部５１の右端、下側区画部５１の左端と左側区画部５２の下端、左側区画部５２の上端と上側区画部５３の下端とをそれぞれ近接させて、入賞領域３４内の遊技球が各区画部５０，５１，５２，５３の間から遊技領域７へ通り抜けないように構成されている。
【００３４】
また、入賞領域区画壁部４１は、左側区画部５２の上端並びに上側区画部５３の上端をベース部材２１の上縁部に配置し、且つ左側区画部５２の上端よりも上側区画部５３の上端を高く設定している。さらに、入賞領域区画壁部４１は、左側区画部５２の上端と上側区画部５３の上端との間を遊技球の直径よりも数倍広く（例えば、遊技球の直径の３倍の広さに）設定して、遊技球が入り易い（入賞率の高い）入賞導入部５５を構成し、この入賞導入部５５により遊技領域７から入賞部材２３へ遊技球を導入できるようにしている。なお、この入賞導入部５５は、遊技領域７の上端部、すなわち第１ガイドレール２の上端部周辺であって打球通路３から遊技領域７へ飛入した遊技球が到達し易い場所に臨ませた状態で開設されている。
【００３５】
入賞開口４２は、ベース部材２１の上半部分の下側に、遊技球が１個ずつ通過（入賞）可能な開口５７を前後方向に貫通した状態で開設するとともに、飾り板３６および裏蓋２９にこの開口５７に連通する開口５８をそれぞれ開設して構成され（図３参照）、サイドランプ１０の前面から後方へ貫通している。なお、この入賞開口４２は、遊技盤１の裏面で入賞球集合樋（図示せず）に接続し、入賞開口４２を通過した遊技球が集められるように構成されている。
【００３６】
遊技球案内部４７は、入賞領域３４の下部に設けられて、入賞領域３４内に流下した遊技球を入賞開口４２へ案内するためのものである。この遊技球案内部４７は、図５（ａ）に示すように、入賞開口４２の周辺、詳しくは左右両側および下側に設けられて上方を開放した開口ガイド部６０と、右側羽根部材４３（遊技領域７の中央側に設けられた羽根部材）の上面に形成された第１球流下案内面６１と、左側羽根部材４４（入賞開口４２を挟んで右側羽根部材４３とは反対側に設けられた羽根部材）の上面に形成された第２球流下案内面６２とを備えている。
【００３７】
開口ガイド部６０は、右側羽根部材４３の入賞開口４２側に位置する側面を第１側面６４とし、左側羽根部材４４の入賞開口４２側に位置する側面を第２側面６５とし、第１側面６４を入賞開口４２の右側縁から、第２側面６５を入賞開口４２の左側縁からそれぞれ前方へ向かって延設している。また、開口ガイド部６０は、蓋部材４５の裏側であって入賞開口４２の下前方にリブ状の案内部材６６を蓋部材４５に一体成形して備え、該案内部材６６を次第に高くしながら前方へ向かって延設している。このような構成を備えた開口ガイド部６０は、第１側面６４と第２側面６５との間を流下する遊技球の流下方向を後方へスムーズに変えて、遊技球を入賞開口４２へ導くことができる。
【００３８】
第１球流下案内面６１は、右側羽根部材４３のうち右側区画部５０の上端、すなわち遊技領域７の中央寄りから入賞開口４２に向かって下り傾斜した面であり、その上側に第１傾斜面６６を配置し、該第１傾斜面６６の下端から下側に第２傾斜面６７を配置し、該第２傾斜面６７の下端を開口ガイド部６０の第１側面６４の上端（開放端）に接続している。そして、上記第２傾斜面６７は、第１傾斜面６６よりも大きい角度で下り傾斜させて、転動する遊技球が受ける反力のうち横方向成分が第１球流下案内面６１の下半に成形した第２傾斜面６７において大きくなるように構成されている。
【００３９】
また、第２球流下案内面６２は、入賞開口４２を挟んで第１球流下案内面６１とは反対側に位置し、左側羽根部材４４のうち左側区画部５２の上端から入賞開口４２に向かって下り傾斜した面である。この第２球流下案内面６２は、その下端を開口ガイド部６０の第２側面６５の上端（開放端）に接続し、下端周辺を上方へ僅かに向けている。したがって、第２球流下案内面６２は、転動する遊技球を入賞開口４２の上方（すなわち開口ガイド部６０の上方）に差し掛かるところで僅かに跳ね上げることができる。
【００４０】
さらに、第２球流下案内面６２は、その下端を第１傾斜面６６の下端よりも低く、且つ第２傾斜面６７の下端よりも高く配置している。すなわち、遊技球案内部４７は、開口ガイド部６０の第２側面６５よりも第１側面６４の高さを低くして、第１球流下案内面６１と第２球流下案内面６２とを入賞開口４２に対して左右非対称の形状に形成し、入賞開口４２の左側に起立した第２側面６５と、右側で下り傾斜した第２傾斜面６７とを対向させている。したがって、第２側面６５と第２傾斜面６７との間には、遊技球が横方向に移動できる空間が形成されるので、第２傾斜面６７を転動する遊技球が横方向の成分が大きくなった反力によって横へ移動することができる。このことから、第２傾斜面６７上の遊技球を拘束し難くして、入賞開口４２の上方で遊技球が詰まりそうでも遊技球のバランスを崩して球詰まりを防ぎ易くすることができる。
【００４１】
そして、遊技球案内部４７は、図５（ｂ）に示すように、蓋部材４５を各羽根部材４３，４４の前面に取り付けて開口ガイド部６０の前端部に設けるとともに、該蓋部材４５とベース部材２１との間を遊技球が１個ずつ通過できる程度の間隔で離間して、蓋部材４５と開口ガイド部６０（あるいは各羽根部材４３，４４）とにより区画された入賞ポケット６９を入賞開口４２の前方に構成している。したがって、入賞領域３４に導入された遊技球を入賞開口４２へ確実且つスムーズに導くことができる。
【００４２】
なお、上記した各羽根部材４３，４４は、図３に示すように、それぞれの後端部（ベース部材２１側端部）から係止爪７０を後方へ延設し、該係止爪７０をベース部材２１に設けられた係止部７１に係止することで取り付けられる。また、蓋部材４５は、各羽根部材４３，４４に重合する部分の裏側から支柱７３および係止爪７４を延設し、支柱７３を各羽根部材４３，４４の入賞開口４２寄りに開設された蓋部材取付孔７５、および飾り板３６に開設された孔７６に嵌通するとともに支柱７３の先端をネジ等の止着部材（図示せず）でベース部材２１の止着孔７７に止着し、且つ係止爪７４を各羽根部材４３，４４の切欠部７８および飾り板３６の切欠部７９を通すとともに入賞開口４２の左右両側に形成された係止孔８０に係止することでベース部材２１に取り付けられている。
【００４３】
そして、入賞部材２３は、第２ガイドレール４と、入賞領域区画壁部４１のうち第２ガイドレール４側に位置する左側区画部５２および上側区画部５３とを離間させて球流路４８を形成している。この球流路４８は、遊技球が１個ずつ（１列）流下可能な間隔を第２ガイドレール４と入賞領域区画壁部４１との間に空け、第２ガイドレール４の内側に沿う状態で形成している。このような球流路４８を形成することで、サイドランプ１０と第２ガイドレール４との間のスペース、すなわち遊技領域７の端部に遊技球を流下させることができ、限られた遊技領域７を有効に活用することができる。また、遊技球の挙動を複雑にして遊技の興趣を高めることができる。
【００４４】
さらに、入賞部材２３は、左側羽根部材４４の前面、すなわち第２球流下案内面６２の前側端を含む面を第２ガイドレール４へ向かって延設して板状の区画部材支持部８２を構成している。この区画部材支持部８２は、図６および図７に示すように、球流路４８の前方にベース部材２１から離間した状態で配置され、ベース部材２１との間に遊技球が１個通過する程度の間隔を空けている。そして、区画部材支持部８２は、その先端を第２ガイドレール４の内周面に近接あるいは当接させている。したがって、遊技領域７まで到達せずに打球通路３を落下してしまう遊技球、所謂ファール球が第２ガイドレール４の外側（打球通路３側）に衝突しても、区画部材支持部８２により第２ガイドレール４を支持して第２ガイドレール４が撓むのを抑えることができる。このことから、第２ガイドレール４を損傷し難くし、メンテナンス作業の負担軽減を図ることができる。
【００４５】
また、区画部材支持部８２は、上下方向に所定幅、例えば遊技球が隠れる程度の幅を有し、球流路４８の下流側の一部を前方から覆う状態で配置されている。このように区画部材支持部８２を配置すると、球流路４８を流下する遊技球を遊技者から一時見えなくすることができ、遊技の興趣を高めることができる。なお、本実施形態の区画部材支持部８２は、先端に向かって次第に先細りとなるように上下幅を有して略扇形状を形成している。
【００４６】
さらに、サイドランプ１０は、入賞領域区画壁部４１の下方であって中央レンズ部材２２ｂと下レンズ部材２２ｃとの間に球誘導部材８３を設けている。この球誘導部材８３は、ベース部材２１の前面に立設した略円弧状の壁部材であり、上端をベース部材２１の左側縁の略中間位置であって球流路４８の下端の第２ガイドレール４側に配置し、上面を遊技領域７の中央に向けて下り傾斜させるとともに入賞領域区画壁部４１の下側区画部５１に沿って湾曲させている（図７参照）。また、球誘導部材８３は、入賞領域区画壁部４１の下側区画部５１の外側面との間に遊技球が通過可能な球誘導路８４を、球流路４８の下流側になだらかに連通した状態で区画形成している。したがって、サイドランプ１０は、球流路４８を流下した遊技球を球誘導路８４へ流入させ、球誘導部材８３により遊技領域７の中央側へ誘導して始動入賞口１１等への入賞の可能性を持たせることができる。このことから、遊技球の挙動を複雑にして遊技の興趣を更に高めることができる。
【００４７】
そして、遊技盤１は、図２および図７に示すように、遊技領域７のうちサイドランプ１０の入賞導入部５５の上方近傍に規制釘８６を入賞導入部５５に対応して（入賞導入部５５に沿って）複数本所定の幅で植設して、遊技球が入賞部材２３へ流入する範囲を規制している。本実施形態では、遊技盤１は、６本の規制釘８６を植設し、上側の植設間隔（図中上５本の規制釘８６のピッチ）を遊技球の直径よりも狭く、下側の植設間隔（図中下２本の規制釘８６のピッチ）を遊技球が丁度１個ずつ通過可能な広さに設定して通過可能範囲ＰＡを形成している。したがって、例えば、入賞導入部５５の正面から植設間隔の広い規制釘８６，８６間へ流下してくる遊技球は、入賞部材２３へ入賞し易いが、入賞導入部５５に沿う方向に流下する遊技球は、上側の規制釘８６で上方にはじかれ易くなり、入賞部材２３に入賞し難くなる。このように規制釘８６を植設することで、入賞部材２３への入賞率を、規制釘８６を植設しない状態よりも低くすることができる。
【００４８】
上記のような構成から成るサイドランプ１０を遊技盤１に取り付けるには、入賞導入部５５を上側に位置する状態でサイドランプ１０を第２ガイドレール４（右側のサイドランプ１０であれば、上側サイドケース５および右側サイドケース６）に押し当てる。すると、サイドランプ１０の遊技領域７の中心側とは反対側の縁部が第２ガイドレール４（各サイドケース）の内側面に当接し、サイドランプ１０の傾きおよび位置を容易に決めることができる。サイドランプ１０の傾きおよび位置が決まったならば、ベース部材２１の上端、下端および遊技領域７の中央側に開設してある止着孔８７内にネジや釘等の止着部材（図示せず）を挿入してサイドランプ１０を遊技盤１上に固定する。
【００４９】
サイドランプ１０を遊技盤１に固定したならば、入賞導入部５５の上方近傍に規制釘８６を植設する。このとき、植設本数を増やしたり、あるいは植設間隔を狭くしたりして、遊技球が通過できない程度の植設間隔、または遊技球の直径よりも僅かに広い植設間隔を入賞導入部５５の手前（上方）に形成すれば、入賞導入部５５の遊技球が通過可能な範囲ＰＡが狭くなる。また、規制釘８６の植設本数を減らしたり、あるいは植設間隔を広くしたりして、遊技球が十分に通過できる程度の植設間隔を入賞導入部５５の手前に形成すれば、入賞導入部５５の遊技球が通過可能な範囲ＰＡが広くなる。このようにして入賞部材２３への遊技球の入賞率を容易に調整することができる。
【００５０】
また、サイドランプ１０を他の遊技盤（図示せず）に転用する場合には、他の遊技盤で設定したい入賞率に合わせて規制釘８６を植設する。このとき、規制釘８６の植設間隔（あるいは植設本数）を調整することで、入賞導入部５５に対する遊技球通過可能範囲ＰＡの位置を調整することができる。例えば、規制釘８６のうち上側区画部５３の近傍の規制釘８６を、広いピッチで植設すれば、遊技球通過可能範囲ＰＡは、斜めに開口した入賞導入部５５の上側、すなわち遊技領域７の中央とは反対側に設定される。一方、右側区画部５０の近傍の規制釘８６を、広いピッチで植設すれば、遊技球通過可能範囲ＰＡは、入賞導入部５５の下側、すなわち遊技領域７の中央側に設定される。したがって、サイドランプ１０の取付位置の調整とは別に、入賞部材２３の遊技球通過可能範囲ＰＡの位置を上下左右に調整することができる。このことから、転用先での遊技盤においてサイドランプ１０の取付位置が当初の遊技盤１での取付位置と異なってしまっても、入賞部材２３の入賞率が大きく異ならないように遊技球通過可能範囲ＰＡを調整することができ、サイドランプ１０を転用し易い。
【００５１】
なお、規制釘８６は、ベース部材２１からの距離を遠くしたり近くしたりして、入賞領域区画壁部４１の上側区画部５３あるいは右側区画部５０と規制釘８６との間隔を調整することで入賞部材２３の入賞率を調整してもよい。
【００５２】
ところで、上記した実施形態では、区画部材支持部８２は、入賞部材２３に固定された状態であったが、本発明はこれに限らない。例えば、図８に示す区画部材支持部９０は、球流路４８に沿って上下に移動することができる。具体的に説明すると、第２実施形態の左側羽根部材９１は、左側区画部５２、第２球流下案内面６２および第２側面６５の前端に蓋状の前面部９２を形成し、該前面部９２の前側に略扇状の区画部材支持部９０を重合し、該区画部材支持部９０を先端が第２ガイドレール４の内周面に近接あるいは当接するように延設している。
【００５３】
また、左側羽根部材９１は、前面部９２に、蓋部材４５の支柱７３を挿入する蓋部材取付孔７５と、該蓋部材取付孔７５を曲率中心とした円弧状のスリット９３とを開設し、区画部材支持部９０には、蓋部材４５の支柱７３に遊嵌する回動孔９４を開設し、前面部９２のスリット９３に遊嵌するピン９５を突設して、区画部材支持部９０が蓋部材４５の支柱７３を中心にして回動するように構成されている。さらに、左側羽根部材９１は、ピン９５の先端と第２球流下案内面６２との間にバネ等の付勢部材９６を設けて、区画部材支持部９０を上方へ付勢している。なお、区画部材支持部９０は、回動範囲をピン９５およびスリット９３にて規制され、先端が第２ガイドレール４から極端に離れない程度に抑えられている。
【００５４】
そして、区画部材支持部９０は、球流路４８に臨ませた先端部の裏側に永久磁石９７を遊技球の吸着手段として備えている。この永久磁石９７は、球流路４８を流下中の遊技球を１個吸着できる程度の磁力を有している。
【００５５】
上記のような構成の区画部材支持部９０を備え、球流路４８に遊技球が流下して区画部材支持部９０の後方に差し掛かると、区画部材支持部９０は、永久磁石９７で遊技球を吸着する。すると、区画部材支持部９０は、遊技球の重力により遊技球とともに蓋部材４５の支柱７３を中心にして下方に回動し、遊技球の流下速度を減速させる。そして、ピン９５がスリット９３の下端に達して区画部材支持部９０が回動を止めると、遊技球は、区画部材支持部９０が止まった時の振動で永久磁石９７から離脱して、球流路４８、球誘導路８４へと流下し続ける。このようにして、区画部材支持部９０は、流下する遊技球を利用して回動するとともに、遊技球の流下挙動に変化を与えることができ、遊技の興趣を高めることができる。
【００５６】
なお、この左側羽根部材９１の構成は、遊技領域７の右側に配置されるサイドランプ１０の右側羽根部材に適用してもよい。
【００５７】
上記実施形態では、装飾部材としてサイドランプ１０を例示したが、本発明はこれに限らない。例えば、発光部材を内蔵しない装飾部材であってもよいし、遊技に関する情報を表示可能な部材であってもよい。あるいは、始動入賞口や一般入賞口等の入賞具に本発明を適用してもよい。
【００５８】
また、上記した実施形態は、代表的な遊技機であるパチンコ遊技機のうち、第１種のパチンコ遊技機を例にして説明したが、本発明はこれに限らず、装飾部材を遊技領域７の左右両側に備えていれば、第２種（所謂飛行機タイプ、或はハネモノ）や第３種（所謂ケンリモノ）のパチンコ遊技機でもよいし、あるいは、内部に封入した遊技球を循環させる封入球式パチンコ機、アレンジボール式遊技機、雀球式遊技機等の遊技機であってもよい。
【００５９】
前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００６０】
【図１】遊技盤の正面図である。
【図２】サイドランプの正面図である。
【図３】サイドランプの分解斜視図である。
【図４】入賞部材およびレンズ部材の背面図である。
【図５】（ａ）は遊技球案内部の正面図、（ｂ）は平面図である。
【図６】左側羽根部材の平面図である。
【図７】球流路および球誘導路の概略図である。
【図８】（ａ）は第２実施形態の区画部材支持部の正面図、（ｂ）は側面図である。
【符号の説明】
【００６１】
１  遊技盤
２  第１ガイドレール
３  打球通路
４  第２ガイドレール
５  上側サイドケース
６  右側サイドケース
７  遊技領域
８  センターケース
９  可変表示装置
１０  サイドランプ
２１  ベース部材
２３  入賞部材
３４  入賞領域
４１  入賞領域区画壁部
４２  入賞開口
４３  右側羽根部材
４４  左側羽根部材
４５  蓋部材
４７  遊技球案内部
４８  球流路
５０  右側区画部
５１  下側区画部
５２  左側区画部
５３  上側区画部
５５  入賞導入部
６０  開口ガイド部
６１  第１球流下案内面
６２  第２球流下案内面
６４  第１側面
６５  第２側面
６６  第１傾斜面
６７  第２傾斜面
６９  入賞ポケット
８２  区画部材支持部
８３  球誘導部材
８４  球誘導路
８６  規制釘
【図１】
2005080804.tif 000003
【図２】
2005080804.tif 000004
【図３】
2005080804.tif 000005
【図４】
2005080804.tif 000006
【図５】
2005080804.tif 000007
【図６】
2005080804.tif 000008
【図７】
2005080804.tif 000009
【図８】
2005080804.tif 000010